(57)【要約】      （修正有）【課題】マガジンラック付きの側脚に調味料や香辛料を入れた容器やリモコン等の収納機能を持たせることができ、これを簡単な構成で安価に実現可能にしたダイニングテーブルを提供する。【解決手段】マガジンラック付き側脚１３を、マガジンラックの上方であって、脚板２４、２５および背面板２７によって囲まれた領域に水平に取り付けられた支持板と、この支持板の上方であって、脚板２４、２５および背面板２７によって囲まれた領域を左右の２室Ｐ、Ｑに隔成する仕切り板と、仕切り板と側板２５との間に着脱可能に設置される可動ラック３０とによって構成した。【選択図】図１
0003181758.tif 000002
【実用新案登録請求の範囲】
【請求項１】
側脚およびマガジンラック付き側脚によって天板の両端部付近を支持する構成のダイニングテーブルであって、
前記マガジンラック付き側脚は、
台座上に設立された一対の脚板と、
これらの脚板下部間の前部に設けられた前部仕切り部材と、
前記脚板間の後部に取り付けられて、該脚板および前記前部仕切り部材とともにマガジンラックを形成する背面板と、
該マガジンラックの上方であって、前記脚板および背面板によって囲まれた領域に水平に取り付けられた支持板と、
この支持板の上方であって、前記脚板および背面板によって囲まれた領域を左右の２室に隔成する仕切り板と、
該仕切り板およびこれに対向する前記脚板のそれぞれに装着された複数個のダボに係合可能な凹所を有し、前記仕切り板と前記脚板との間に着脱可能に設置される可動ラックと、を備えることを特徴とするダイニングテーブル。
【考案の詳細な説明】
【技術分野】
【０００１】
本考案は、食事用のテーブルに係り、特に方形や長方形の天板を、側脚とマガジン付きの側脚とによって支えるダイニングテーブルに関するものである。
【背景技術】
【０００２】
従来のダイニングテーブルは、食事の際に、冷蔵庫や収容棚の中から取り出した漬物などの食品を入れた食器、醤油などの液体調味料や香辛料を入れた容器、飲料水を入れたコップなどが載置される。一方、食事が済めばこれらの食器や容器は冷蔵庫や収納棚などの元の場所に仕舞うのであるが、食事の度にかかる食器や容器を冷蔵庫や収納棚から出したり入れたりする作業が面倒である。このため、毎日の生活においては、これら容器などの一部をダイニングテーブルの上に出しっ放しにすることが多くなり、このダイニングテーブル上を占有する面積が大きくなり、テーブル上が煩雑になり、食事がしづらくなるという不都合があった。
【０００３】
これに対し、ダイニングテーブルを構成する天板に開口部を設け、この開口部の下部にこの開口部の上下に昇降可能な収納部を設け、この収納部が前記開口部の上方に突出した状態で収納部として機能させ、下方に収納した状態でその収納部の上方に前記天板とほぼ同面一となる蓋板を覆設したものが提案されている（例えば、特許文献１参照）。
これによれば、前記収納部を天板に対し昇降させることで、その収納部の上昇時には、調味料等の小物類をその収納部にその場で収納したり取り出したりすることができ、非使用時は収納部自体を天板の下方に収納することで、前記小物類をテーブル上に置き去りにすることなくスッキリと整頓でき、ダイニングテーブルの天板全面を広く使うことができる。
【０００４】
また、ダイニングテーブルは、食事の前後にこれの上に新聞や雑誌を置いて読む道具（机など）として一般に利用され、読んだ後にこれらの新聞や雑誌がそのダイニングテーブル上に放置される場合がある。これに対し、ダイニングテーブルの側脚にマガジンラックを取り付けて、読んだ後の新聞や雑誌をこのマガジンラックに収納可能にするものも、従来から提案されている。
【先行技術文献】
【特許文献】
【０００５】
【特許文献１】特開２００２−１６５６４３号公報
【考案の概要】
【考案が解決しようとする課題】
【０００６】
しかしながら、引用文献１に記載の、前者のダイニングテーブルにあっては、ダイニングテーブルを構成する天板付近に収納部の昇降機構を設置しなければならず、その昇降機構の構成および動作が複雑で、故障や、メンテナンスに留意した使用が要請され、また高価になるという不都合があった。
【０００７】
一方、マガジンラックが取り付けられた前述のダイニングテーブルにあっては、調味料や香辛料を入れた容器等の収納にはその容器等の設置空間を確保する上でその構造上無理があり、これらの調味料や香辛料を入れた容器等の収納を簡単な構成で実現可能にするダイニングテーブルの出現が望まれていた。
【０００８】
本考案は、上述した事情に鑑みてなされたものであり、その目的は、マガジンラック付き側脚に調味料や香辛料を入れた容器等の収納機能を持たせることができ、これを簡単な構成で安価に実現可能にするダイニングテーブルを提供することにある。
【課題を解決するための手段】
【０００９】
前述した目的を達成するために、本考案に係るダイニングテーブルは、側脚およびマガジンラック付き側脚によって天板の両端部付近を支持する構成のダイニングテーブルであって、前記マガジンラック付き側脚は、台座上に設立された一対の脚板と、これらの脚板下部間の前部に設けられた前部仕切り部材と、前記脚板間の後部に取り付けられて、該脚板および前記前部仕切り部材とともにマガジンラックを形成する背面板と、該マガジンラックの上方であって、前記脚板および背面板によって囲まれた領域に水平に取り付けられた支持板と、この支持板の上方であって、前記脚板および背面板によって囲まれた領域を左右の２室に隔成する仕切り板と、該仕切り板およびこれに対向する前記脚板のそれぞれに装着された複数個のダボに係合可能な凹所を有し、前記仕切り板と前記脚板との間に着脱可能に設置される可動ラックと、を備えることを特徴とする。
【００１０】
この構成により、マガジンラックの上方には支持板と仕切り板と可動ラックとによって作られた３個の小領域に調味料、香辛料、食品などを収納した容器を設置可能にしている。従って、食事前にはこれらの小領域から前記容器を取り出してテーブル上に簡単に載置でき、食事中にテーブル上に置いて使用された前記容器等を、食事後に前記の小領域に挿し入れる（片付ける）ことで、テーブル上をスッキリした状態に保つことができる。
【００１１】
また、かかるマガジンラック付き側脚は、木材からなる一対の脚板、仕切り部材、背面板、支持板、仕切り板をそれぞれねじを用いて天板に簡単、迅速に組み付け可能であり、対向するもう一方の側脚とともに、ダイニングテーブルの側脚として十分な強度を維持させることができる。さらに、前記可動ラックが有する凹所は、可動ラックが不用意に各ダボ上で移動するのを防止でき、そのダボ上に安定的に支持させることができる。
【００１２】
また、可動ラックは脚板と仕切り板との間に出し入れ可能で、しかも一つの小領域を形成するため、この小領域内には醤油、調味油などの液体収納容器の設置が可能である。従って、仮に調味油などの液状物が容器から漏れ出るようなことがあっても、その可動ラックを脚板および仕切り板間から分離して取り外し、単独で洗浄することができる。また、食事時に、調味料等の複数の容器を収納した可動ラックをそのままダイニングテーブル上に設置することもでき、この場合には調味料等の利用がより便利になる。
【考案の効果】
【００１３】
本考案によれば、マガジンラック付き側脚に調味料や香辛料を入れた容器等の収納機能を持たせることができ、かかる機能を簡単な構成で安価に実現することができる。
【００１４】
以上、本考案について簡潔に説明した。更に、本考案を実施するための最良の形態を、添付の図面を参照して詳細に説明する。
【図面の簡単な説明】
【００１５】
【図１】本考案の実施形態によるダイニングテーブルを示す斜視図である。
【図２】図１に示したダイニングテーブルを斜め下方から見た斜視図である。
【図３】図１に示した可動ラックの斜視図である。
【図４】図１に示した可動ラックを、側脚およびマガジンラック側脚に対し取り付ける状況を説明するための説明図である。
【図５】図１に示した可動ラック支持用のダボを、脚板および仕切り板に対し取り付ける状況を説明するための説明図である。
【考案を実施するための形態】
【００１６】
以下、本考案の一実施の形態にかかるダイニングテーブルを、図１乃至図５を参照して説明する。
【００１７】
本実施形態のダイニングテーブルＡは、天板１１と、側脚１２と、マガジンラック付き側脚１３と、を備えて構成される。これらのうち、天板１１は木材の一枚板や加工板を矩形状に成形したものからなり、主板１１ａと、これに複数のヒンジ部材１４を介して連設した補助板１１ｂとからなる。補助板１１ｂは主板１１ａに対しヒンジ部材１４を介して垂直下方に折り曲げ可能になっている。また、主板１１ａおよび補助板１１ｂの下面には、これらの各板１１ａ、１１ｂが平らなテーブル面を形成可能とするための、補助板支持部材１５等が取り付けられている。
【００１８】
主板１１ａの下面には後述の側脚１２およびマガジンラック付き側脚１３の取り付けに利用する矩形の取り付け枠１６と、主板１１ａ自体を補強するための矩形の補強枠１７とが、接着剤やねじなどの締結部材を用いて取り付けられている。一方、補助板１１ｂの裏面には、この補助板１１ｂ自体を補強する角棒状の補強棒１８が接着剤やねじなどの締結部材を用いて取り付けられている。
【００１９】
前記側脚１２は台座１９およびテーブル支持板２０を脚板２１の両端に固定したものからなり、これらも木材の板材を加工して、所定サイズ、形状に作られている。台座１９は、テーブルの荷重を受けて床面に伝えるものであり、その下面は平坦に加工されている。一方、テーブル支持板２０は、天板１１の主板１１ａを下面から支持するように、上面が平坦に加工されている。また、このテーブル支持板２０の一側面が前記取り付け枠１６の外側面に当接されて、ボルトナットやねじなどの締結具２２を用いて、その取り付け枠１６に着脱可能に固定されている。
【００２０】
側脚１２とマガジンラック付き側脚１３における後述の背面板２７との間には、これらの倒れを防止する補強用桟３３が架設されている。マガジンラック付き側脚１３は、台座２３と、台座２３上に設立された一対の脚板２４、２５と、これらの脚板２４、２５間の前部に設けられた前部仕切り部材２６と、前記脚板２４、２５間の後部に取り付けられて、脚板２４、２５および前記前部仕切り部材２６とともにマガジンラックＭを形成する背面板２７と、マガジンラックＭの上方であって、前記脚板２４、２５および背面板２７によって囲まれた領域に水平に取り付けられた支持板２８と、この支持板２８の上方であって、前記脚板２４、２５および背面板２７によって囲まれた領域を左右の２室Ｐ、Ｑに隔成する仕切り板２９と、該仕切り板２９と一方の前記側板２５との間に着脱可能に設置される可動ラック３０と、を備える。
【００２１】
これらのうち、台座２３は脚板２４、２５の取り付けが可能な広幅のサイズおよび形状をなし、これがテーブルや可動ラック３０等の荷重を受けて床面に伝えるものであり、従って、下面は平坦に加工されている。脚板２４、２５は同一形状をなして、台座２３上に所定間隔をおいて設立されている。この設立は台座２の下面から各脚板２４、２５の下端部にねじをねじ込むことによりなされ、必要に応じて接着材が併用される。
【００２２】
前記前部仕切り部材２６は、脚板２４、２５間の前部、つまり背面板２７側とは反対側の位置に設けられ、複数本の棒材や板材を所定幅の間隙Ｇをおいて組み付けられている。従って、外部からマガジンラックＭの内部がその間隙Ｇを通して透けて見えるような構成とされている。これにより、前部仕切り部材の内側に収納された雑誌や新聞などの外観が、マガジンラックの外側から看取可能になっている。
【００２３】
前記背面板２７は剛性を持つ所定厚みの板材からなり、その上部がボルトナットやねじなどの締結具２２を用いて、取り付け枠１６に着脱可能に固定されている。
【００２４】
支持板２８は棚板として機能し、これの上に長瓶などの背の高い容器なども支持可能となっている。この支持板２８の前部には、長瓶などが支持板２８の上を滑って前部から下方に落下するのを防止する滑り止め片３２が取り付けられている。仕切り板２９は支持板２８の上部空間を左右の２室（２領域）Ｐ、Ｑに隔成しており、各室Ｐ、Ｑには前述の長瓶などが収納可能になっている。なお、室Ｐには前述の可動ラック３０が着脱可能に装着可能となっている。
【００２５】
また、室Ｐを隔成している脚板２５および仕切り板２９の互いに対向する面には、所定の高さ位置であって、水平方向の２箇所にダボ挿入孔Ｈが穿設されており、これらの各ダボ挿入孔Ｈにはダボ３１が嵌挿可能になっている。このダボ３１は円柱状で短寸の鋼材からなり、図５に示すように、脚板２５に穿設されたダボ挿入孔Ｈに嵌挿可能となっている。図示しないが、仕切り板２９にも同様のダボ挿入孔Ｈが設けられて、これらにもダボ３１が嵌挿可能となっている。
【００２６】
この可動ラック３０は、図３に示すように、略扇形の２枚の側板３０ａ、３０ｂを底板３０ｃ、前面板３０ｄおよび２本の背面板３０ｅによって連結したものからなる。これらのうち側板３０ａ、３０ｂは下端部の前後２箇所に半円状の凹部Ｅを有する。これらの凹部Ｅは、脚板２５および仕切り板２９に前述のように取り付けられた各ダボ３１上に、可動ラック３０が前後方向へ移動しないように係止（載置）可能となっている。なお、前記底板３０ｃ上には前述の調味料等を収納した容器が載置可能となっている。
【００２７】
かかる構成になるダイニングテーブルＡでは、主板１１aに対し補助板１１ｂを、ヒンジ部材１４を中心に、図１に示す状態から図２および図４に示す状態に回動させ、さらに補助板支持部材１５に支承させることで、補助板１１ｂを主板１１aと同一平面内に配置できる。この結果、拡張されたテーブルを形成することができる。従って、テーブル上面の利用面積が広がり、来客時にも対応可能となる。
【００２８】
また、マガジンラック付き側脚１３は下部にマガジンラックＭを備えるほかに、そのマガジンラックＭの上方に仕切り板２９によって２室Ｐ、Ｑが隔成されている。このため、これらの各室Ｐ、Ｑのそれぞれに前述の調味料や香辛料、さらには食品などを入れた容器やワインボトルなどの収納が可能になる。従って、食事の前後または食事中に、テーブルのサイド方向に手を延ばしてこれらを手に取り、テーブル上に載せたり使用したりすることができる。また、食事後にはテーブル上から容器やワインボトル等を各室Ｐ、Ｑ内へ迅速、かつ容易に収めることができる。この結果、テーブル上を常にスッキリと片付いた状態に維持することができる。
【００２９】
さらに、前記室Ｐ内には、図１および図４に示すように、可動ラック３０を収納することが可能である。この可動ラック３０は底板３０ｃに設けられた凹部Ｅを、前記脚板２５および仕切り板２９に取り付けられた各ダボ３１に係止させることで、可動ラック３０が不用意に各ダボ３１上で移動することがなくなり、そのダボ３１上に安定的に保持できる。
【００３０】
従って、可動ラック３０は、自身によるテーブルの揺れなどによってもダボ３１上から落下することを未然に回避することができる。この場合において、可動ラック３０内には前述のような調味料や香辛料、さらには食品などを入れた容器が収納可能である。また、この可動ラック３０は収納した容器から液状の香辛料灯が漏れ出た場合等において、前記室Ｐ内から分離して取り出すことができる。従って、この可動ラック３０単独でこれの洗浄、清拭を迅速、容易に実施できる。
【００３１】
また、食事前や食事中に調味料等が入った複数の容器ごと、前記室Ｐ内から可動ラック１０を取り出してテーブル上に載置することにより、テーブル上で必要とする調味料等を、迅速かつ簡単に利用することができる。
【００３２】
以上のように、本実施形態のダイニングテーブルは、マガジンラック付き側脚１３を、マガジンラックＭの上方であって、脚板２４、２５および背面板２７によって囲まれる領域に水平に取り付けられた支持板２８と、この支持板２８の上方であって、前記脚板２４、２５および背面板２７によって囲まれた領域を左右の２室Ｐ、Ｑに隔成する仕切り板２９と、該仕切り板２９およびこれに対向する前記脚板２４、２５のそれぞれに装着された複数個のダボ３１に係合可能な凹所Ｅを有するとともに、仕切り板２９と前記側板２５との間に着脱可能に設置される可動ラック３０とによって構成することにより、支持板２８と仕切り板２９と可動ラック３０とによって隔成された３個の小領域に調味料、香辛料、食品などを収納した収納容器等が設置可能になり、食事中にテーブル上に置いて使用した前記収納容器等を、食事後に前記の小領域に挿し入れる（片付ける）ことで、テーブル上を常にスッキリした状態に保つことができる。また、可動ラック３０を不用意に各ダボ３１上で移動するのを防止でき、そのダボ３１上に安定的に保持できる。また、調味油が液体収納容器から漏れ出るようなことがあっても、その可動ラック３０を脚板２５および仕切り板２９間から取り外して洗浄することができる。さらに、食事時に、調味料等を入れられた複数の容器を収納した可動ラック３０をそのままダイニングテーブル上に設置することで、調味料の利用がより便利になる。
【００３３】
さらに、側脚１２およびマガジンラック付き側脚１３間に補強用桟３３を架設したことで、テーブル自体に上下方向および左右方向の外力が作用しても、必要かつ十分な剛性を各側脚１２、１３に付与することができる。
【産業上の利用可能性】
【００３４】
本考案のダイニングテーブルは、マガジンラック付きの側脚に調味料や香辛料を入れた容器等の収納機能を持たせることができ、これを簡単な構成で安価に実現できるという効果を有し、天板を、側脚とマガジン付き側脚とによって支える２脚タイプのダイニングテーブル等に有用である。
【符号の説明】
【００３５】
１１…天板、  １２…側脚、１３…マガジンラック付き側脚、１４…ヒンジ部材、１５…補助板支持部材、１６…取り付け枠、１７…補強枠、１８…補強棒、１９…台座、２０…テーブル支持板、２１…脚板、２２…締結具、２３…台座、２４，２５…脚板、２６…前部仕切り部材、２７…背面板、２８…支持板、２９…仕切り板、３０…可動ラック、３１…ダボ、３２…滑り止め片、３３…補強用桟、Ａ…ダイニングテーブル、Ｅ…凹所、Ｇ…間隙、Ｈ…ダボ取付孔、Ｍ…マガジンラック、Ｐ，Ｑ…室
【図１】
0003181758.tif 000003
【図２】
0003181758.tif 000004
【図３】
0003181758.tif 000005
【図４】
0003181758.tif 000006
【図５】
0003181758.tif 000007